(57)【特許請求の範囲】
【請求項１】
筐体と、
前記筐体の内部に配置される画像形成部と、
前記画像形成部により画像が形成されたシート材を排出する排出部と、
前記排出部から排出された前記シート材が積層して配置される積載部であって、
垂直方向下部に配置され前記シート材が積載される積載面部と、
前記積載面部と垂直方向において対向して配置される上面部と、
前記積載面部と前記上面部との間の積載空間部と、を有する積載部と、
前記画像形成部から前記排出部へ向けて前記シート材を搬送する排出用搬送路と、
前記排出用搬送路を搬送された前記シート材を前記排出部から前記積載空間部へ一部繰り出した後に前記シート材の搬送方向を反転させる反転部と、
前記排出用搬送路から分岐し、前記反転部により反転された前記シート材を前記画像形成部へ向けて搬送する反転用搬送路と、
前記上面部に一端部が回動可能に取り付けられ、他端部が自由端として前記積載面部に積載されたシート材の上面に当接して配置される押さえ部材であって、
前記積載されたシート材の最上面の上を移動するシート材の移動を、前記他端部が前記排出部と反対側に移動するように回動して許可すると共に、
前記排出部側に戻るように移動する前記最上面の上に配置されたシート材における移動を、前記他端部が前記最上面の上に配置されたシート材の上面に当接した状態で許可する押さえ部材と、を備え、
前記積載面部は、平面状に形成される平面部と、前記平面部から上方側に突出するように形成される凸部と、を有して構成されており、
前記押さえ部材は、前記凸部よりも前記シート材が前記排出部から排出される方向である排出方向の下流側において、前記積載面部に積載された前記シート材の上面に当接して配置される画像形成装置。
【請求項２】
前記押さえ部材は、前記排出部から排出されたシート材が前記積載面部に積載されたシート材を前記排出部と反対側に移動させないように、前記積載面部に積載されたシート材の前記最上面に当接して配置される
請求項１に記載の画像形成装置。
【請求項３】
前記押さえ部材は、平面状又は曲面状の板状部材であり、
前記一端部と前記他端部とをつなぐ平面は、前記積載面部に積載されたシート材の上面に対して、前記他端部が前記一端部よりも前記排出部と反対側に位置するように傾いている
請求項１又は２に記載の画像形成装置。
【請求項４】
前記積載面部に積載されたシート材における前記排出部側の上面に対する前記一端部と前記他端部とをつなぐ平面の角度は、５０°〜６０°である
請求項３に記載の画像形成装置。
【請求項５】
前記他端部における前記シート材の上面に当接する部分の長さは、前記シート材が前記排出部から排出される方向である排出方向に直交する方向において、前記一端部側の長さよりも小さい
請求項１から４のいずれかに記載の画像形成装置。
【請求項６】
前記押さえ部材は、前記一端部を中心に回動することにより前記上面部に沿うように配置可能であると共に、前記上面部に沿うように配置された状態で前記上面部に取り付け可能である
請求項１から５のいずれかに記載の画像形成装置。
【請求項７】
前記筐体の上部側に配置される画像読取部を更に備え、
前記上面部は、前記画像読取部の下部により構成される
請求項１から６のいずれかに記載の画像形成装置。
【発明の詳細な説明】
【技術分野】
【０００１】
本発明は、コピー機、プリンター、ファクシミリ又はこれらの複合機などの画像形成装置に関する。
【背景技術】
【０００２】
従来より、シート材としての用紙に画像を形成（印刷）するための装置として、コピー機、プリンター、ファクシミリ又はこれらの複合機などの画像形成装置が知られている。これらの画像形成装置において、用紙の両面に画像を形成する画像形成装置がある。このような画像形成装置において、画像形成部と、用紙を排出する排出部と、排出部から排出された用紙が積載される積載面部及び積載面部の上部側に形成された積載空間部を有する積載部と、用紙を排出部から積載空間部へ一部繰り出した後に用紙の搬送方向を反転させて表裏を反転させるスイッチバックローラー対（反転部）と、を備えるスイッチバック方式を採用した画像形成装置が知られている（例えば、特許文献１参照）。
【０００３】
特許文献１に記載されるスイッチバック方式を採用した画像形成装置においては、画像形成部により一方の面に画像を形成された用紙は、積載空間部に一部を繰り出された後に、スイッチバックローラー対により表裏を反転される。そして、スイッチバックローラー対により反転された用紙は、一方の面と反対の他方の面に画像を形成するために、画像形成部へ向けて搬送される。画像形成部により他方の面に画像が形成された用紙は、積載面部に積載された最上部の用紙の上に積載される。
【先行技術文献】
【特許文献】
【０００４】
【特許文献１】特開２００９−２５６１０１号公報
【発明の概要】
【発明が解決しようとする課題】
【０００５】
特許文献１に記載される画像形成装置においては、一方の面に画像が形成された用紙が排出部から積載空間部に一部繰り出される際に、積載面部に積載された用紙のうちの最上部の用紙の上面（最上面）に接触することがある。そのため、積載面部に積載された最上部の用紙は、排出部に排出された用紙との摩擦抵抗により用紙の排出方向に動かされる場合があった。
【０００６】
この場合には、スイッチバックローラー対により反転された後に他方の面に画像が形成された用紙は、積載面部に積載された最上部の用紙が排出方向に動かされた状態で、積載面部に積載された用紙の上に排出されることになる。そのため、他方の面に画像が形成された用紙は、最上部の用紙と最上部の用紙の下の用紙との間に入り込むことがあった。これにより、積載部に積載される用紙の順番の入れ替わりが発生する場合があった。従って、積載部に積載される用紙の順番の入れ替わりを抑制することができる画像形成装置が望まれる。
【０００７】
本発明は、シート材の搬送方向を反転させる反転部を有し、積載部に積載されるシート材の順番の入れ替わりを抑制することができる画像形成装置を提供することを目的とする。
【課題を解決するための手段】
【０００８】
本発明は、筐体と、前記筐体の内部に配置される画像形成部と、前記画像形成部により画像が形成されたシート材を排出する排出部と、前記排出部から排出された前記シート材が積層して配置される積載部であって、垂直方向下部に配置され前記シート材が積載される積載面部と、前記積載面部と垂直方向において対向して配置される上面部と、前記積載面部と前記上面部との間の積載空間部と、を有する積載部と、前記画像形成部から前記排出部へ向けて前記シート材を搬送する排出用搬送路と、前記排出用搬送路を搬送された前記シート材を前記排出部から前記積載空間部へ一部繰り出した後に前記シート材の搬送方向を反転させる反転部と、前記排出用搬送路から分岐し、前記反転部により反転された前記シート材を前記画像形成部へ向けて搬送する反転用搬送路と、前記上面部に一端部が回動可能に取り付けられ、他端部が自由端として前記積載面部に積載されたシート材の上面に当接して配置される押さえ部材であって、前記積載されたシート材の最上面の上を移動するシート材の移動を、前記他端部が前記排出部と反対側に移動するように回動して許可すると共に、前記排出部側に戻るように移動する前記最上面の上に配置されたシート材における移動を、前記他端部が前記最上面の上に配置されたシート材の上面に当接した状態で許可する押さえ部材と、を備える画像形成装置に関する。
【０００９】
また、前記押さえ部材は、前記排出部から排出されたシート材が前記積載面部に積載されたシート材を前記排出部と反対側に移動させないように、前記積載面部に積載されたシート材の前記最上面に当接して配置されることが好ましい。
【００１０】
また、前記押さえ部材は、平面状又は曲面状の板状部材であり、前記一端部と前記他端部とをつなぐ平面は、前記積載面部に積載されたシート材の上面に対して、前記他端部が前記一端部よりも前記排出部と反対側に位置するように傾いていることが好ましい。
【００１１】
また、前記積載面部に積載されたシート材における前記排出部側の上面に対する前記一端部と前記他端部とをつなぐ平面の角度は、５０°〜６０°であることが好ましい。
【００１２】
また、前記積載面部は、平面状に形成される平面部と、前記平面部から上方側に突出するように形成される凸部と、を有して構成されており、前記押さえ部材は、前記凸部よりも前記シート材が前記排出部から排出される方向である排出方向の下流側において、前記積載面部に積載されたシート材の上面に当接して配置されることが好ましい。
【００１３】
また、前記他端部における前記シート材の上面に当接する部分の長さは、前記シート材が前記排出部から排出される方向である排出方向に直交する方向において、前記一端部側の長さよりも小さいことが好ましい。
【００１４】
また、前記押さえ部材は、前記一端部を中心に回動することにより前記上面部に沿うように配置可能であると共に、前記上面部に沿うように配置された状態で前記上面部に取り付け可能であることが好ましい。
【００１５】
また、前記筐体の上部側に配置される画像読取部を更に備え、前記上面部は、前記画像読取部の下部により構成されることが好ましい。
【発明の効果】
【００１６】
本発明によれば、シート材の搬送方向を反転させる反転部を有し、積載部に積載されるシート材の順番の入れ替わりを抑制することができる画像形成装置を提供することができる。
【図面の簡単な説明】
【００１７】
【図１】本発明の第１実施形態に係るコピー機１における各構成要素の配置を説明するための図である。
【図２】第１実施形態における内部側集積部５１０及び押さえ部材２００の周辺の構成を示す側面図である。
【図３】第１実施形態における積載面部５２０及び押さえ部材２００の構成を示す斜視図である。
【図４】図２に示す押さえ部材２００を拡大した側面図である。
【図５Ａ】両面印刷の動作を説明する図であって、用紙Ｔが排出方向Ｄ１に搬送され始めた状態を示す図である。
【図５Ｂ】両面印刷の動作を説明する図であって、用紙Ｔが押さえ部材２００の第１排紙部５０ａ側の面に突き当たった状態を示す図である。
【図５Ｃ】両面印刷の動作を説明する図であって、用紙Ｔが押さえ部材２００を回動させた状態を示す図である。
【図５Ｄ】両面印刷の動作を説明する図であって、用紙Ｔの搬送方向が戻し方向Ｄ２に切り換えられた状態を示す図である。
【図５Ｅ】両面印刷の動作を説明する図であって、用紙Ｔが押さえ部材２００の先端部２０２に当接した状態で戻し方向Ｄ２に搬送されている状態を示す図である。
【図５Ｆ】両面印刷の動作を説明する図であって、両面印刷が完了した用紙Ｔが積載面部５２０に積載される用紙Ｔの最上面の上に積載された状態を示す図である。
【図６】本発明の第２実施形態における内部側集積部５１０Ａ及び押さえ部材２００の周辺の構成を示す側面図である。
【図７Ａ】第２実施形態における両面印刷の動作を説明する図であって、用紙Ｔが凸部５２２に沿うように搬送されている状態を示す図である。
【図７Ｂ】第２実施形態における両面印刷の動作を説明する図であって、用紙Ｔが腰のある状態で押さえ部材２００に当接した状態を示す図である。
【図７Ｃ】第２実施形態における両面印刷の動作を説明する図であって、用紙Ｔの先端が押さえ部材２００の先端部２０２側に移動された状態を示す図である。
【図７Ｄ】第２実施形態における両面印刷の動作を説明する図であって、用紙Ｔが押さえ部材２００を回動させた状態を示す図である。
【図７Ｅ】第２実施形態における両面印刷の動作を説明する図であって、用紙Ｔが押さえ部材２００の先端部２０２に当接した状態で排出方向Ｄ１に搬送されている状態を示す図である。
【発明を実施するための形態】
【００１８】
以下、図面を参照して、本発明の画像形成装置としてのコピー機１の第１実施形態を説明する。
図１は、本発明の第１実施形態に係るコピー機１における各構成要素の配置を説明するための図である。
【００１９】
図１に示すように、本発明の第１実施形態としてのコピー機１は、本体装置Ｍと、本体装置Ｍの上部に組みつけられた画像読取装置３００と、本体装置Ｍに取り付けられる中継ユニット５００と、本体装置Ｍに取り付けられる後処理装置６００とを備える。
ここで、図１に示すように、中継ユニット５００及び後処理装置６００は、オプションとして本体装置Ｍに取り付けられる。
【００２０】
画像読取装置３００は、コピー機１における垂直方向Ｚの上端部に配置される。画像読取装置３００は、原稿の画像を読み取ると共に、読み取った画像に関する情報である画像情報を本体装置Ｍ（画像形成部）に出力する。
【００２１】
本体装置Ｍは、画像読取装置３００から送られる画像情報に基づいてシート材としての用紙Ｔにトナー画像を形成する。シート材とは、画像が形成されるシート状の被画像形成材である。シート材には、用紙等の被転写材が含まれる。
【００２２】
なお、コピー機１の説明において、図１に示す副走査方向Ｘをコピー機１の「左右方向」ともいい、副走査方向Ｘに直交する主走査方向Ｙ（図２参照）をコピー機１の「前後方向」ともいう。コピー機１の垂直方向Ｚは、副走査方向Ｘ及び主走査方向Ｙと直交する。
【００２３】
まず、画像読取装置３００について説明する。
図１に示すように、画像読取装置３００は、原稿Ｇの画像を読み取る画像読取部３０１と、画像読取部３０１の上方側に配置され画像読取部３０１に原稿Ｇを搬送する原稿搬送部７０と、を備える。
【００２４】
原稿搬送部７０は、画像読取部３０１に対して不図示の連結部により開閉可能に連結されている。原稿搬送部７０は、上方側に原稿載置部７１を有し、内部に送りローラー（図示せず）を有する。
【００２５】
次に、図１により、本体装置Ｍの各部について説明する。
本体装置Ｍは、画像読取装置３００から送られる画像情報に基づいてシート材としての用紙Ｔに所定のトナー画像を形成する画像形成部ＧＫと、用紙Ｔを画像形成部ＧＫに給紙すると共にトナー画像が形成された用紙Ｔを排紙する給排紙部ＫＨとを有する。
本体装置Ｍにおける外形は、筐体としてのケース部材ＢＤにより構成される。
【００２６】
図１に示すように、画像形成部ＧＫは、ケース部材ＢＤの内部に配置される。画像形成部ＧＫは、像担持体（感光体）としての感光体ドラム２ａ、２ｂ、２ｃ、２ｄと、帯電部１０ａ、１０ｂ、１０ｃ、１０ｄと、露光ユニットとしてのレーザースキャナーユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給部６ａ、６ｂ、６ｃ、６ｄと、ドラムクリーニング部１１ａ、１１ｂ、１１ｃ、１１ｄと、除電器１２ａ、１２ｂ、１２ｃ、１２ｄと、中間転写ベルト７と、１次転写ローラー３７ａ、３７ｂ、３７ｃ、３７ｄと、２次転写ローラー８と、対向ローラー１８と、定着部９と、を備える。
【００２７】
給排紙部ＫＨは、給紙カセット５２と、手差し給紙部６４と、用紙Ｔの搬送路Ｌと、レジストローラー対８０と、第１排紙部５０ａと、第２排紙部５０ｂとを備える。なお、搬送路Ｌは、後述するように、第１搬送路Ｌ１と、第２搬送路Ｌ２と、排出用搬送路としての第３搬送路Ｌ３と、手差し搬送路Ｌａと、反転用搬送路としての戻り搬送路Ｌｂと、第４搬送路Ｌ４との集合体である。
【００２８】
以下、図１により、画像形成部ＧＫ及び給排紙部ＫＨの各構成について、詳細に説明する。
まず、画像形成部ＧＫについて説明する。
画像形成部ＧＫにおいては、感光体ドラム２ａ、２ｂ、２ｃ、２ｄそれぞれの表面に沿って順に、上流側から下流側に順に、帯電部１０ａ、１０ｂ、１０ｃ、１０ｄによる帯電、レーザースキャナーユニット４ａ、４ｂ、４ｃ、４ｄによる露光、現像器１６ａ、１６ｂ、１６ｃ、１６ｄによる現像、中間転写ベルト７及び１次転写ローラー３７ａ、３７ｂ、３７ｃ、３７ｄによる１次転写、除電器１２ａ、１２ｂ、１２ｃ、１２ｄによる除電、及びドラムクリーニング部１１ａ、１１ｂ、１１ｃ、１１ｄによるクリーニングが行われる。
また、画像形成部ＧＫにおいては、中間転写ベルト７、２次転写ローラー８及び対向ローラー１８による２次転写、並びに定着部９による定着が行われる。
【００２９】
感光体ドラム２ａ、２ｂ、２ｃ、２ｄそれぞれは、円筒形状の部材からなり、感光体又は像担持体として機能する。感光体ドラム２ａ、２ｂ、２ｃ、２ｄそれぞれは、中間転写ベルト７の進行方向に対して直交する方向に延びる回転軸を中心に矢印の方向に回転可能に配置される。感光体ドラム２ａ、２ｂ、２ｃ、２ｄそれぞれにおける表面には、静電潜像が形成され得る。
【００３０】
帯電部１０ａ、１０ｂ、１０ｃ、１０ｄそれぞれは、感光体ドラム２ａ、２ｂ、２ｃ、２ｄそれぞれの表面に対向して配置される。帯電部１０ａ、１０ｂ、１０ｃ、１０ｄそれぞれは、感光体ドラム２ａ、２ｂ、２ｃ、２ｄそれぞれの表面を一様に負（マイナス極性）又は正（プラス極性）に帯電させる。
【００３１】
レーザースキャナーユニット４ａ、４ｂ、４ｃ、４ｄは、露光ユニットとして機能するものであり、感光体ドラム２ａ、２ｂ、２ｃ、２ｄそれぞれの表面から離間して配置される。レーザースキャナーユニット４ａ、４ｂ、４ｃ、４ｄそれぞれは、不図示のレーザ光源、ポリゴンミラー、ポリゴンミラー駆動用モーター等を有して構成される。
【００３２】
レーザースキャナーユニット４ａ、４ｂ、４ｃ、４ｄそれぞれは、画像読取部３０１により読み込まれた画像に関する画像情報に基づいて感光体ドラム２ａ、２ｂ、２ｃ、２ｄそれぞれの表面を走査露光する。レーザースキャナーユニット４ａ、４ｂ、４ｃ、４ｄそれぞれにより走査露光されることで、感光体ドラム２ａ、２ｂ、２ｃ、２ｄそれぞれの表面の露光された部分の電荷が除去される。これにより、感光体ドラム２ａ、２ｂ、２ｃ、２ｄそれぞれの表面に静電潜像が形成される。
【００３３】
現像器１６ａ、１６ｂ、１６ｃ、１６ｄそれぞれは、感光体ドラム２ａ、２ｂ、２ｃ、２ｄにそれぞれ対応して設けられ、感光体ドラム２ａ、２ｂ、２ｃ、２ｄの表面に対向して配置される。現像器１６ａ、１６ｂ、１６ｃ、１６ｄそれぞれは、感光体ドラム２ａ、２ｂ、２ｃ、２ｄそれぞれの表面に形成された静電潜像に各色のトナーを付着させて、カラーのトナー画像を感光体ドラム２ａ、２ｂ、２ｃ、２ｄそれぞれの表面に形成する。現像器１６ａ、１６ｂ、１６ｃ、１６ｄそれぞれは、イエロー、シアン、マゼンタ、ブラックの４つの色に対応する。現像器１６ａ、１６ｂ、１６ｃ、１６ｄそれぞれは、感光体ドラム２ａ、２ｂ、２ｃ、２ｄの表面に対向配置された現像ローラー、トナー攪拌用の攪拌ローラー等を有して構成される。
【００３４】
トナーカートリッジ５ａ、５ｂ、５ｃ、５ｄそれぞれは、現像器１６ａ、１６ｂ、１６ｃ、１６ｄそれぞれに対応して設けられており、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００３５】
トナー供給部６ａ、６ｂ、６ｃ、６ｄそれぞれは、トナーカートリッジ５ａ、５ｂ、５ｃ、５ｄ及び現像器１６ａ、１６ｂ、１６ｃ、１６ｄにそれぞれ対応して設けられており、トナーカートリッジ５ａ、５ｂ、５ｃ、５ｄそれぞれに収容された各色のトナーを、現像器１６ａ、１６ｂ、１６ｃ、１６ｄそれぞれに対して供給する。トナー供給部６ａ、６ｂ、６ｃ、６ｄそれぞれと現像器１６ａ、１６ｂ、１６ｃ、１６ｄそれぞれとは、不図示のトナー供給路により結ばれている。
【００３６】
中間転写ベルト７には、感光体ドラム２ａ、２ｂ、２ｃ、２ｄに形成された各色のトナー画像が順次１次転写される。中間転写ベルト７は、従動ローラー３５、駆動ローラーからなる対向ローラー１８、テンションローラー３６等に掛け渡される。テンションローラー３６が中間転写ベルト７を内側から外側に付勢するため、中間転写ベルト７には所定の張力が与えられる。
【００３７】
中間転写ベルト７を挟んで感光体ドラム２ａ、２ｂ、２ｃ、２ｄと反対の側には、１次転写ローラー３７ａ、３７ｂ、３７ｃ、３７ｄそれぞれが対向して配置される。
【００３８】
中間転写ベルト７における所定部分は、１次転写ローラー３７ａ、３７ｂ、３７ｃ、３７ｄそれぞれと、感光体ドラム２ａ、２ｂ、２ｃ、２ｄそれぞれとにより挟み込まれる。この挟み込まれた所定部分は、感光体ドラム２ａ、２ｂ、２ｃ、２ｄそれぞれにおける表面に押し当てられる。感光体ドラム２ａ、２ｂ、２ｃ、２ｄそれぞれと１次転写ローラー３７ａ、３７ｂ、３７ｃ、３７ｄそれぞれとの間で、それぞれ１次転写ニップＮ１ａ、Ｎ１ｂ、Ｎ１ｃ、Ｎ１ｄが形成される。１次転写ニップＮ１ａ、Ｎ１ｂ、Ｎ１ｃ、Ｎ１ｄそれぞれにおいて、感光体ドラム２ａ、２ｂ、２ｃ、２ｄそれぞれに現像された各色のトナー画像が中間転写ベルト７に順次１次転写される。これにより、中間転写ベルト７には、フルカラーのトナー画像が形成される。
【００３９】
１次転写ローラー３７ａ、３７ｂ、３７ｃ、３７ｄそれぞれには、不図示の１次転写バイアス印加部により、感光体ドラム２ａ、２ｂ、２ｃ、２ｄそれぞれに形成された各色のトナー画像を中間転写ベルト７に転写させるための１次転写バイアスが印加される。
【００４０】
除電器１２ａ、１２ｂ、１２ｃ、１２ｄそれぞれは、感光体ドラム２ａ、２ｂ、２ｃ、２ｄそれぞれの表面に対向して配置される。除電器１２ａ、１２ｂ、１２ｃ、１２ｄそれぞれは、感光体ドラム２ａ、２ｂ、２ｃ、２ｄそれぞれの表面に光を照射することにより、１次転写が行われた後の感光体ドラム２ａ、２ｂ、２ｃ、２ｄそれぞれの表面を除電する（電荷を除去する）。
【００４１】
ドラムクリーニング部１１ａ、１１ｂ、１１ｃ、１１ｄそれぞれは、感光体ドラム２ａ、２ｂ、２ｃ、２ｄそれぞれの表面に対向して配置される。ドラムクリーニング部１１ａ、１１ｂ、１１ｃ、１１ｄそれぞれは、感光体ドラム２ａ、２ｂ、２ｃ、２ｄそれぞれの表面に残存したトナーや付着物を除去すると共に、除去されたトナー等を所定の回収機構へ搬送して、回収させる。
【００４２】
２次転写ローラー８は、中間転写ベルト７に１次転写されたフルカラーのトナー画像を用紙Ｔに２次転写させる。２次転写ローラー８には、不図示の２次転写バイアス印加部により、中間転写ベルト７に形成されたフルカラーのトナー画像を用紙Ｔに転写させるための２次転写バイアスが印加される。
【００４３】
２次転写ローラー８は、中間転写ベルト７に対して当接したり離間したりする。具体的には、２次転写ローラー８は、中間転写ベルト７に当接される当接位置と中間転写ベルト７から離間する離間位置とに移動可能に構成される。詳細には、２次転写ローラー８は、中間転写ベルト７の表面に１次転写されたフルカラーのトナー画像を用紙Ｔに２次転写させる場合には当接位置に配置され、他の場合には離間位置に配置される。
【００４４】
中間転写ベルト７における２次転写ローラー８とは反対側には、対向ローラー１８が配置される。中間転写ベルト７における所定部分は、２次転写ローラー８と対向ローラー１８とによって挟み込まれる。そして、用紙Ｔは中間転写ベルト７の外面（トナー画像が１次転写された面）に押し当てられる。中間転写ベルト７と２次転写ローラー８との間で２次転写ニップＮ２が形成される。２次転写ニップＮ２において、中間転写ベルト７に１次転写されたフルカラーのトナー画像が用紙Ｔに２次転写される。
【００４５】
定着部９は、用紙Ｔに２次転写されたトナー画像を構成する各色のトナーを溶融及び加圧して、用紙Ｔに定着させる。定着部９は、ヒーターにより加熱される加熱回転体９ａと、加熱回転体９ａに圧接される加圧回転体９ｂと、を備える。加熱回転体９ａと加圧回転体９ｂとは、トナー画像が２次転写された用紙Ｔを挟み込んで加圧すると共に、搬送する。加熱回転体９ａと加圧回転体９ｂとの間に挟まれた状態で用紙Ｔが搬送されることによって、用紙Ｔに転写されたトナーは、溶融及び加圧されることで用紙Ｔに定着される。
【００４６】
次に、給排紙部ＫＨについて説明する。
図１に示すように、本体装置Ｍの下部には、用紙Ｔを収容する収容部として、２個の給紙カセット５２が上下に配列されて配置される。給紙カセット５２は、本体装置Ｍの筐体であるケース部材ＢＤに、水平方向前方に挿脱可能に、取り付けられる。即ち、給紙カセット５２は、用紙Ｔを収容すると共に、ケース部材ＢＤに挿脱可能に取り付けられる収容部である。
【００４７】
給紙カセット５２には、用紙Ｔが載置される載置板６０が配置される。給紙カセット５２には、用紙Ｔが載置板６０の上に積層された状態で収容される。載置板６０に載置された用紙Ｔは、給紙カセット５２における用紙送り出し側の端部（図１において右側の端部）に配置されるカセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラー対６３とからなる重送防止機構を備える。
【００４８】
本体装置Ｍの右側面（図１において右側）には、手差し給紙部６４が設けられる。手差し給紙部６４は、給紙カセット５２にセットされる用紙Ｔとは異なる大きさや種類の用紙Ｔを本体装置Ｍに供給することを主目的として設けられる。手差し給紙部６４は、閉状態において本体装置Ｍの右側面の一部を構成する手差しトレイ６５と、給紙コロ６６とを備える。手差しトレイ６５は、その下端が給紙コロ６６の近傍の本体装置Ｍに回動自在（開閉自在）に取り付けられる。開状態の手差しトレイ６５には、用紙Ｔが載置される。給紙コロ６６は、開状態の手差しトレイ６５に載置された用紙Ｔを手差し搬送路Ｌａに給紙する。
【００４９】
本体装置Ｍにおける上方側で、画像読取部３０１の下方となる位置には、排出部としての第１排紙部５０ａ及び第２排紙部５０ｂが設けられる。第１排紙部５０ａ及び第２排紙部５０ｂは、画像形成部ＧＫにより画像が形成された用紙Ｔを、本体装置Ｍの外部に排紙する。第１排紙部５０ａ及び第２排紙部５０ｂの詳細については後述する。
【００５０】
用紙Ｔを搬送する搬送路Ｌは、カセット給紙部５１から２次転写ニップＮ２までの第１搬送路Ｌ１と、２次転写ニップＮ２から定着部９までの第２搬送路Ｌ２と、定着部９から第１排紙部５０ａまでの第３搬送路Ｌ３と、手差し給紙部６４から供給される用紙を第１搬送路Ｌ１に合流させる手差し搬送路Ｌａと、第３搬送路Ｌ３を上流側から下流側へ搬送する用紙を表裏反転させて第１搬送路Ｌ１に戻す戻り搬送路Ｌｂと、第４搬送路Ｌ４とを備える。
【００５１】
第３搬送路Ｌ３は、画像形成部ＧＫから後述する第１排紙部５０ａへ向けて用紙Ｔを搬送する搬送路である。戻り搬送路Ｌｂは、第３搬送路Ｌ３から分岐している。第４搬送路Ｌ４は、第３搬送路Ｌ３で搬送されている途中の用紙Ｔを、第２排紙部５０ｂに搬送する搬送路である。
【００５２】
また、第１搬送路Ｌ１の途中には、第１合流部Ｐ１及び第２合流部Ｐ２が設けられている。第３搬送路Ｌ３の途中には、第１分岐部Ｑ１が設けられている。
第１合流部Ｐ１は、手差し搬送路Ｌａが第１搬送路Ｌ１に合流する合流部である。第２合流部Ｐ２は、戻り搬送路Ｌｂが第１搬送路Ｌ１に合流する合流部である。
第１分岐部Ｑ１は、第４搬送路Ｌ４が第３搬送路Ｌ３から分岐する分岐部である。第１分岐部Ｑ１には、分岐部材５８が設けられている。分岐部材５８は、定着部９から搬出された用紙Ｔの搬送方向を、第１排紙部５０ａに向かう第３搬送路Ｌ３又は第２排紙部５０ｂに向かう第４搬送路Ｌ４に分岐させる（切り換える）。
【００５３】
第１搬送路Ｌ１の途中（詳細には、第２合流部Ｐ２と２次転写ローラー８との間）には、用紙Ｔを検出するためのセンサーと、用紙Ｔのスキュー（斜め給紙）補正や画像形成部ＧＫにおけるトナー画像の形成と用紙Ｔの搬送のタイミングを合わせるためのレジストローラー対８０とが配置される。センサーは、用紙Ｔの搬送方向におけるレジストローラー対８０の直前（搬送方向における上流側）に配置される。レジストローラー対８０は、センサーからの検出信号情報に基づいて上述の補正やタイミング調整をして用紙Ｔを搬送する一対のローラーである。
【００５４】
戻り搬送路Ｌｂは、用紙Ｔに両面印刷を行う際に、既に印刷されている面とは反対面（未印刷面）を中間転写ベルト７に対向させるために設けられる搬送路である。戻り搬送路Ｌｂによれば、第１分岐部Ｑ１から第１排紙部５０ａ又は第２排紙部５０ｂ側に搬送された用紙Ｔを表裏反転させて第１搬送路Ｌ１に戻して、２次転写ローラー８の上流側に配置されたレジストローラー対８０の上流側に搬送させることができる。戻り搬送路Ｌｂは、第１分岐部Ｑ１から第１排紙部５０ａに搬送された用紙Ｔについては、第１排紙部５０ａに設けられた排出反転ローラー対５５（後述）により搬送方向が反転されて表裏が反転された用紙Ｔを、画像形成部ＧＫへ向けて搬送する。戻り搬送路Ｌｂにより表裏反転された用紙Ｔには、２次転写ニップＮ２において未印刷面に対して所定のトナー画像が転写される。
【００５５】
第３搬送路Ｌ３における端部には、排出部としての第１排紙部５０ａが形成される。第１排紙部５０ａは、後処理を必要としない用紙Ｔを、本体装置Ｍの外部に排紙する。図１に示すように、この第１排紙部５０ａは、本体装置Ｍにおける上方側で画像読取部３０１の下方となる位置に配置される。また、第１排紙部５０ａは、本体装置Ｍの左側面側（図１において左側）に向けて開口し、且つ、本体装置Ｍの右側面側に寄った位置に配置されている。第１排紙部５０ａにおける開口側には、後述する積載空間部５４０が形成される。
【００５６】
第１排紙部５０ａには、排出反転ローラー対５５が設けられている。排出反転ローラー対５５は、第３搬送路Ｌ３を搬送された用紙Ｔを第１排紙部５０ａから後述する積載空間部５４０へ全部を排出する機能と、第３搬送路Ｌ３を搬送された用紙Ｔを第１排紙部５０ａから後述する積載空間部５４０へ一部繰り出した後に用紙Ｔの搬送方向を反転させて表裏を反転させる（スイッチバックさせる）反転部としての機能とを併せて有するローラー対である。排出反転ローラー対５５が反転部としての機能を発揮する場合、排出反転ローラー対５５を「スイッチバックローラー対」ともいう。
【００５７】
図１に示すように、画像読取部３０１の下方には、積載部としての内部側集積部５１０が配置される。内部側集積部５１０には、第１排紙部５０ａから排出された用紙Ｔが積層して配置される。内部側集積部５１０の積載空間部５４０（後述）には、押さえ部材２００が配置される。押さえ部材２００は、積載面部５２０に積載された用紙Ｔの上面に当接して配置される。
内部側集積部５１０及び押さえ部材２００の詳細については後述する。
【００５８】
第４搬送路Ｌ４における端部（搬送方向下流側）には、第２排紙部５０ｂが形成される。第２排紙部５０ｂは、第１排紙部５０ａの下方側において、本体装置Ｍの左側面側（図１において左側）に向けて開口して形成される。第２排紙部５０ｂは、第４搬送路Ｌ４に搬送される用紙Ｔを、後述の中継ユニット５００を介して後処理装置６００に送り出す後処理用排出部（又は中継ユニット用排出部）である。
なお、各搬送路の所定位置には用紙検出用のセンサーが配置される。
【００５９】
第２排紙部５０ｂの開口側には、中継ユニット５００が連続して配置（本体装置Ｍに連結）される。中継ユニット５００は、画像読取部３０１の下方であって積載空間部５４０に接した状態で装着して配置されている。中継ユニット５００の上面は、第１排紙部５０ａから排出された用紙Ｔが積載される積載面部５２０として構成される。そして、この中継ユニット５００には、後処理装置６００が連続して配置（本体装置Ｍに連結）される。
【００６０】
後処理装置６００は、本体装置Ｍの第２排紙部５０ｂから排出されて中継ユニット５００の内部搬送路５５１を介して搬送された用紙の後処理（ステープル、パンチ、ソート等）を行うものである。後処理装置６００は、本体装置Ｍの左側面４４１に着脱可能に取り付けられる。後処理装置６００は、排紙トレイ６６０を有する。排紙トレイ６６０は、後処理ユニット側排出部（不図示）から排出される用紙Ｔを集積させる排紙トレイである。
【００６１】
ここで、本実施形態のコピー機１は、後処理を必要としない場合、画像形成部ＧＫにおける画像形成が完了した用紙Ｔの排紙先（搬送ルート）を次の２通りに設定できる。
コピー機１は、用紙Ｔを、第４搬送路Ｌ４から中継ユニット５００内を通過させて、後処理装置６００に送るが、後処理装置６００は後処理をせずに排紙トレイ６６０に排紙するように設定可能である。
また、コピー機１は、用紙Ｔを、第４搬送路Ｌ４には送らず、第３搬送路Ｌ３の端部の第１排紙部５０ａから内部側集積部５１０に排紙するように設定可能である。第１排紙部５０ａから内部側集積部５１０に排紙された用紙Ｔは、中継ユニット５００の上面である積載面部５２０に集積し、本体装置Ｍの前面側から取り出される。
【００６２】
次に、主搬送路Ｌ１〜Ｌ３（第１搬送路Ｌ１、第２搬送路Ｌ２及び第３搬送路Ｌ３を合わせて以下「主搬送路」ともいう）及び戻り搬送路Ｌｂにおける紙詰まり（ＪＡＭ）を解消するための構造について簡単に説明する。
図１に示すように、本体装置Ｍの右側面側（図１において右側）には、主搬送路Ｌ１〜Ｌ３及び戻り搬送路Ｌｂが主に垂直方向に延びるように並列している。本体装置Ｍの右側面側（図１において右側）には、本体装置Ｍの側面の一部を形成するように、カバー体４０が設けられている。カバー体４０は、その下端部において、支点軸４３を介して本体装置Ｍに連結されている。支点軸４３は、その軸方向が主搬送路Ｌ１〜Ｌ３及び戻り搬送路Ｌｂを横断する方向に沿って配設されている。カバー体４０は、支点軸４３を中心として閉位置（図１に示す位置）と開位置（図示せず）との間を回動自在に構成されている。
【００６３】
カバー体４０は、支点軸４３によって本体装置Ｍに回動自在に連結された第１のカバー部４１と、同じ支点軸４３によって本体装置Ｍに回動自在に連結された第２のカバー部４２とから構成されている。第１のカバー部４１は、第２のカバー部４２よりも本体装置Ｍの外側（側面側）に位置する。なお、図１において、右下がりの破線でハッチングされた部分が第１のカバー部４１であり、左下がりの破線でハッチングされた部分が第２のカバー部４２である。
【００６４】
カバー体４０が閉位置に位置する状態において、第１のカバー部４１は、その外面側が本体装置Ｍの外面（側面）の一部を形成している。
また、カバー体４０が閉位置に位置する状態において、第２のカバー部４２は、その内面側（本体装置Ｍ側）が主搬送路Ｌ１〜Ｌ３の一部を形成している。
更に、カバー体４０が閉位置に位置する状態において、第１のカバー部４１の内面側と第２のカバー部４２の外面側とが、戻り搬送路Ｌｂの少なくとも一部を形成している。つまり、戻り搬送路Ｌｂは、第１のカバー部４１と第２のカバー部４２との間に形成されている。
【００６５】
本実施形態のコピー機１は、このような構成のカバー体４０を備えることにより、主搬送路Ｌ１〜Ｌ３で紙詰まり（ＪＡＭ）が発生した際には、カバー体４０を図１に示す閉位置から、開位置（図示せず）に回動して主搬送路Ｌ１〜Ｌ３を開放することにより、主搬送路Ｌ１〜Ｌ３に詰まった用紙を処理することができる。一方、戻り搬送路Ｌｂで紙詰まりが発生した際には、カバー体４０を開位置に回動した後、支点軸４３を中心に第２のカバー部４２を本体装置Ｍ側（図１において左側）に回動させて戻り搬送路Ｌｂを開放することにより、戻り搬送路Ｌｂに詰まった用紙を処理することができる。
【００６６】
次に、図２から図４により、本発明の特徴部分である内部側集積部５１０及び押さえ部材２００に関連する構成の詳細について説明する。図２は、第１実施形態における内部側集積部５１０及び押さえ部材２００の周辺の構成を示す側面図である。図３は、第１実施形態における積載面部５２０及び押さえ部材２００の構成を示す斜視図である。図４は、図２に示す押さえ部材２００を拡大した側面図である。
【００６７】
本実施形態においては、排出反転ローラー対５５により用紙Ｔが第１排紙部５０ａから内部側集積部５１０に向けて排出される方向を「排出方向Ｄ１」という。「排出方向Ｄ１」は、副走査方向Ｘにおける第１排紙部５０ａから内部側集積部５１０へ向かう方向とほぼ一致する。また、排出方向Ｄ１と反対方向であって、積載空間部５４０へ一部繰り出された用紙Ｔが排出反転ローラー対５５により内部側集積部５１０から第１排紙部５０ａに向かうように戻される方向を「戻し方向Ｄ２」という。「戻し方向Ｄ２」は、副走査方向Ｘにおける内部側集積部５１０から第１排紙部５０ａへ向かう方向とほぼ一致する。また、排出方向Ｄ１及び戻し方向Ｄ２に直交する方向で且つ積載面部５２０に積載される用紙Ｔに沿う方向を「用紙幅方向Ｗ」という。「用紙幅方向Ｗ」は、主走査方向Ｙとほぼ一致する。
【００６８】
図２及び図３に示すように、内部側集積部５１０は、積載面部５２０と、上面部としての積載天面部５３０と、積載空間部５４０と、規制壁５５０とを有する。
積載面部５２０は、内部側集積部５１０における垂直方向Ｚの下部に配置されており、水平面状に形成されている。積載面部５２０には、第１排紙部５０ａから排出された所定のトナー画像が形成された用紙Ｔが積載される。積載面部５２０は、中継ユニット５００の上面により構成されている。
【００６９】
積載面部５２０は、最大サイズの用紙Ｔが積載可能な表面積を有している。例えば、最大サイズの用紙ＴがＡ３サイズの用紙Ｔの場合には、積載面部５２０における用紙Ｔの排出方向Ｄ１の表面の長さは、Ａ３サイズの用紙の長辺の長さ以上に設定され、積載面部５２０の用紙Ｔの用紙幅方向Ｗの表面の長さは、Ａ３サイズの用紙の短辺の長さ以上に設定される。なお、本実施形態においては、Ａ３サイズの用紙Ｔにおける長辺が排出方向Ｄ１に平行な状態で排出される用紙Ｔを、「Ａ３サイズ縦の用紙Ｔ」ともいう。
【００７０】
規制壁５５０は、積載面部５２０に積載される用紙Ｔにおける排出方向Ｄ１への移動を規制する。規制壁５５０は、積載面部５２０の排出方向Ｄ１の下流側（図１における本体装置Ｍの左側）の外縁近傍から垂直方向Ｚの上方に延びるように形成される。規制壁５５０は、用紙Ｔの排出方向Ｄ１において、積載面部５２０に積載される用紙Ｔの先端と対向して配置される。これにより、規制壁５５０は、第１排紙部５０ａから排出される用紙Ｔの先端の位置を規制して、用紙Ｔの排出方向Ｄ１の下流側への移動を規制する。
【００７１】
積載天面部５３０は、積載面部５２０から垂直方向Ｚの上方に所定距離だけ離間した位置において、積載面部５２０と垂直方向Ｚにおいて対向して配置される。積載天面部５３０は、画像読取部３０１の下部の下面により構成されており、水平面状に形成されている。
【００７２】
積載空間部５４０は、積載面部５２０と積載天面部５３０との間の空間である。積載空間部５４０には、第１排紙部５０ａから排出される用紙Ｔが導入される。積載空間部５４０は、積載面部５２０に積載された用紙Ｔが配置される空間である。
【００７３】
また、積載空間部５４０は、本体装置Ｍの前面に開口する空間である。積載面部５２０に積載された用紙Ｔは、本体装置Ｍの前面開口から取り出すことができる。つまり、本実施形態におけるコピー機１は、画像読取部１６の下部において、本体装置Ｍの一部が窪むようにして積載空間部５４０が形成されている。そのため、本実施形態のコピー機１は、いわゆる胴内排紙型のコピー機と称されている。
【００７４】
積載空間部５４０には、図２に示すように、押さえ部材２００が配置される。
押さえ部材２００は、用紙幅方向Ｗに視た場合に、積載天面部５３０から積載面部５２０に向けて延びるような平面状の板状の部材により形成される。
【００７５】
押さえ部材２００の一端部である基端部２０１は、取り付け部材２１０を介して、画像読取部３０１の下面である積載天面部５３０に回動可能に取り付けられる。
押さえ部材２００の他端部である先端部２０２は、自由端として構成され、積載面部５２０に積載された用紙Ｔのうちの最上部の用紙Ｔの上面に当接して配置される。押さえ部材２００は、その自重により先端部２０２を用紙Ｔに当接させて、用紙Ｔに対して加重している。
なお、以下の説明において、「積載面部５２０に積載された用紙Ｔのうちの最上部の用紙Ｔの上面」を「積載面部５２０に積載された用紙Ｔの最上面」ともいう。
【００７６】
押さえ部材２００は、基端部２０１と先端部２０２とをつなぐ平面が、積載面部５２０に積載された用紙Ｔの上面に対して、先端部２０２が基端部２０１よりも第１排紙部５０ａと反対側（排出方向Ｄ１の下流側）に位置するように傾いている。
【００７７】
押さえ部材２００は、図３に示すように、積載面部５２０における排出方向Ｄ１の中央近傍において、積載面部５２０に積載された用紙Ｔの上面に当接して配置される。詳細には、排出方向Ｄ１における押さえ部材２００が用紙Ｔの上面に当接する位置は、排出方向Ｄ１における長さが最も小さい最小サイズの用紙Ｔが積載面部５２０に積載された場合に、積載面部５２０に積載された最小サイズの用紙Ｔの上面に当接する位置である。
また、押さえ部材２００は、積載面部５２０における用紙幅方向Ｗの中央近傍において、積載面部５２０に載置された用紙Ｔの上面に当接するように配置される。
【００７８】
押さえ部材２００は、厚さ方向に視た場合に、略長方形の形状の部材と略三角形状の部材とが連続した平面状の板部材により構成される。略長方形の形状の部材は、基端部２０１側において、基端部２０１から先端部２０２側に長く延びている。略三角形状の部材は、先端部２０２側に形成されている。押さえ部材２００の略三角形状の部材は、先端に向かうにしたがって幅の長さ（用紙幅方向Ｗの長さ）が小さくなっている。
【００７９】
押さえ部材２００の先端部２０２における用紙Ｔに当接される部分には、略三角形状である板部材の頂点の部分が位置している。また、頂点部分は、用紙Ｔに当接するため、用紙幅方向Ｗに平坦になるように形成されている。
【００８０】
このように、押さえ部材２００の先端部２０２における用紙Ｔの上面に当接する部分の長さは、用紙幅方向Ｗにおいて、基端部２０１側の長さよりも小さく形成される。これにより、先端部２０２が用紙Ｔの上面に当接して移動する際における摩擦抵抗が低減される。
【００８１】
また、押さえ部材２００は、図４に示すように、回転軸部材２０３と、取り付け突起部２０５とを更に有している。
回転軸部材２０３は、後述する取り付け部材２１０の回転支持孔部２１３に挿通される。回転軸部材２０３は、押さえ部材２００の基端部２０１において用紙幅方向Ｗの外側の両側に突出するように形成されている。回転軸部材２０３の回転軸中心は、押さえ部材２００を回動させるための用紙幅方向Ｗに延びる回転軸の中心と一致する。
【００８２】
取り付け突起部２０５は、後述する取り付け部材２１０の退避用孔部２１４に係合可能に構成される。取り付け突起部２０５は、押さえ部材２００の基端部２０１と先端部２０２との間における基端部２０１寄りに、押さえ部材２００における用紙幅方向Ｗの端部の側面から用紙幅方向Ｗの外側に突出するように形成されている。
【００８３】
取り付け部材２１０は、押さえ部材２００を回動可能に支持する部材である。取り付け部材２１０は、図２に示すように、積載天面部５３０に取り付けられている。
取り付け部材２１０は、図４に示すように、取り付け板部２１１と、取り付け板部２１１の用紙幅方向Ｗの両端部近傍から垂直方向Ｚの下方側に向けて延びる一対の側板部２１２と、を有する。取り付け板部２１１は、積載天面部５３０に平行な板状の部材であり、積載天面部５３０に取り付けられる。一対の側板部２１２は、排出方向Ｄ１及び用紙幅方向Ｗに平行な板状の部材により形成されており、互いに対向して配置される。
取り付け部材２１０の一対の側板部２１２それぞれには、用紙幅方向Ｗに貫通する一対の回転支持孔部２１３及び一対の退避用孔部２１４が形成されている。
【００８４】
回転支持孔部２１３には、押さえ部材２００の回転軸部材２０３が挿通される。回転支持孔部２１３は、回転軸部材２０３が挿通されて、押さえ部材２００を回転可能に支持する。押さえ部材２００は、押さえ部材２００の回転軸部材２０３が回転支持孔部２１３に挿通されて配置されることで、その自重により、積載面部５２０に積載された用紙Ｔの上面に当接する。
【００８５】
このように構成されることで、押さえ部材２００は、第１排紙部５０ａから排出された用紙Ｔが積載面部５２０に積載された用紙Ｔを第１排紙部５０ａと反対側（排出方向Ｄ１の下流側）に移動させないように、積載面部５２０に積載された用紙Ｔの最上面に当接する。
【００８６】
また、押さえ部材２００は、その回動により、用紙Ｔの排出方向Ｄ１への移動を許可する。押さえ部材２００は、その回動により、先端部２０２が積載面部５２０に積載される用紙Ｔの上面に当接している状態で、用紙Ｔの戻し方向Ｄ２への移動を許可する。
【００８７】
詳細には、押さえ部材２００は、積載面部５２０に積載された用紙Ｔの最上面の上に、第１排紙部５０ａから全部が排出されて配置され又は一部が繰り出されて配置されるように移動する用紙Ｔにおける移動を、先端部２０２が第１排紙部５０ａと反対側（排出方向Ｄ１の下流側）に移動するように回動して許可する。更に、押さえ部材２００は、第１排紙部５０ａ側に戻るように移動する積載面部５２０に積載された用紙Ｔの最上面の上に配置された用紙Ｔにおける戻し方向Ｄ２への移動を、先端部２０２が積載面部５２０に積載された用紙Ｔの最上面の上に配置された用紙Ｔの上面に当接した状態で許可する。
【００８８】
また、上記作用を実現するために、押さえ部材２００は、積載面部５２０に積載された用紙Ｔに対する角度や、積載面部５２０に積載された用紙Ｔに加重される重さ等が適宜設定される。
【００８９】
本実施形態においては、図２に示すように、用紙幅方向Ｗに視た場合に、積載面部５２０に積載された用紙Ｔの第１排紙部５０ａ側の上面に対する、押さえ部材２００における基端部２０１と先端部２０２とをつなぐ平面の角度である設置角度αが設定される。
設置角度αは、第１排紙部５０ａから排出された用紙Ｔの移動を、押さえ部材２００が回動して用紙Ｔの排出方向Ｄ１への移動を許可することができると共に、用紙Ｔの戻し方向Ｄ２への移動を許可することができる角度が設定される。
【００９０】
具体的には、押さえ部材２００における積載面部５２０に積載された用紙Ｔに対する角度に関して、前述の通り、基端部２０１と先端部２０２とをつなぐ平面は、積載面部５２０に積載された用紙Ｔの上面に対して、先端部２０２が基端部２０１よりも第１排紙部５０ａと反対側（排出方向Ｄ１の下流側）に位置するように傾いている。例えば、設置角度αは、０°よりも大きく、９０°よりも小さな角度である。設置角度αが９０°よりも大きくなると、搬送される用紙Ｔが積載面部５２０に積載された用紙Ｔと押さえ部材２００との間を通る際に、押さえ部材２００の先端部２０２を第１排紙部５０ａと反対側（排出方向Ｄ１の下流側）に移動するように回動できないためである。
【００９１】
また、押さえ部材２００の設置角度αは、積載面部５２０に積載された最上部の用紙Ｔを排出方向Ｄ１に移動させ難い条件、排出反転ローラー対５５への用紙Ｔの後端残りを発生させ難い条件、及び、戻し方向Ｄ２に搬送される用紙Ｔに引っ掛かりを生じさせ難い条件を、全体として満たす範囲に設定される。
例えば、用紙幅方向Ｗに視た場合に、積載面部５２０に積載された用紙Ｔの第１排紙部５０ａ側の上面に対する、押さえ部材２００における基端部２０１と先端部２０２とをつなぐ平面の角度αは、５０°から６０°の範囲に設定されることが好ましい。
【００９２】
押さえ部材２００の設置角度αの好ましい値を設定するにあたり、様々な要因が複合されていると考えられる。一概には言えないが、押さえ部材２００の設置角度αに関する主な傾向としては、例えば、以下のようなものがある。
【００９３】
例えば、押さえ部材２００の設置角度αが０°に近いほど、積載面部５２０に積載された最上部の用紙Ｔは、排出方向Ｄ１に移動され易い傾向がある。一方、設置角度αが９０°に近いほど、積載面部５２０に積載された用紙Ｔは、排出方向Ｄ１に移動し難い傾向がある。主な理由としては、押さえ部材２００の設置角度αが０°に近いほど、押さえ部材２００における用紙Ｔへの垂直方向Ｚの加重が小さくなると考えられ、設置角度αが９０°に近いほど、垂直方向Ｚへの加重が大きくなると考えられるためである。
【００９４】
また、例えば、押さえ部材２００の設置角度αが大きい場合には、押さえ部材２００の先端部２０２に用紙Ｔが引っ掛かる傾向がある。主な理由としては、押さえ部材２００の設置角度αが大きい場合には、反転されて戻し方向Ｄ２に搬送される用紙Ｔは、押さえ部材２００と積載面部５２０に積載された最上部の用紙Ｔとの間に挟み込まれてしまう場合があると考えられるためである。押さえ部材の設置角度αは、例えば６５°以下が好適である。
【００９５】
また、積載面部５２０に積載された用紙Ｔへの加重に関しては、用紙Ｔを排出方向Ｄ１に移動させ難い条件としては、押さえ部材２００の重さは、重いほうが有利な傾向がある。用紙Ｔへの加重が大きいほど、押さえ部材２００に当接する用紙Ｔは、排出方向Ｄ１に移動し難いと考えられるためである。
また、排出反転ローラー対５５に用紙Ｔの後端残りを発生させない条件としては、押さえ部材２００の重さは、軽いほうが有利な傾向がある。用紙Ｔへの加重が小さいほど、排出方向Ｄ１に搬送される用紙Ｔは、押さえ部材２００を回動させて、排出方向Ｄ１へスムーズに移動されると考えられるためである。
【００９６】
なお、各条件は、例示であり、押さえ部材２００の設置角度αや押さえ部材２００の重さは、その組み合わせにより異なる場合があるが、最適化されるように適宜設定される。
【００９７】
また、取り付け部材２１０の退避用孔部２１４には、押さえ部材２００の取り付け突起部２０５が係合可能である。退避用孔部２１４は、押さえ部材２００が基端部２０１を中心に回動して積載天面部５３０に沿うように配置された状態で、取り付け突起部２０５が係合される位置に形成される。そして、退避用孔部２１４は、押さえ部材２００が回転軸部材２０３の回転軸を中心に回転して、画像読取部３０１の下面（積載天面）５３０に沿うように回転された場合に、押さえ部材２００の取り付け突起部２０５と係合する。
【００９８】
このようにして、押さえ部材２００は、基端部２０１を中心に回動することにより画像読取部３０１の下面（積載天面）５３０に沿うように退避して配置可能であると共に、画像読取部３０１の下面（積載天面）５３０に沿うように配置された状態で画像読取部３０１の下面（積載天面）５３０に取り付け可能に構成される。これにより、中継ユニット５００を本体装置Ｍに装着したり離脱する際に、押さえ部材２００を退避させることができる。従って、押さえ部材２００の破損を防止して、作業効率を向上させることができる。
【００９９】
次に、図１を参照して、本実施形態のコピー機１の動作について、簡単に説明する。
ここでは、用紙Ｔを内部側集積部５１０に排紙するように設定した場合におけるコピー機１の動作について説明する。
【０１００】
まず、給紙カセット５２に収容された用紙Ｔに片面印刷を行う場合について説明する。
給紙カセット５２に収容された用紙Ｔは、前送りコロ６１及び給紙ローラー対６３によって第１搬送路Ｌ１に送り出され、その後、第１合流部Ｐ１及び第１搬送路Ｌ１を介して、レジストローラー対８０に搬送される。
レジストローラー対８０においては、用紙Ｔのスキュー補正や、トナー画像とのタイミング調整が行われる。
【０１０１】
レジストローラー対８０から排出された用紙Ｔは、第１搬送路Ｌ１を介して中間転写ベルト７と２次転写ローラー８との間（２次転写ニップＮ２）に導入される。そして、用紙Ｔには、中間転写ベルト７と２次転写ローラー８との間において、トナー画像が転写される。
その後、用紙Ｔは、中間転写ベルト７と２次転写ローラー８との間から排出され、第２搬送路Ｌ２を介して、定着部９における加熱回転体９ａと加圧回転体９ｂとの間の定着ニップに導入される。そして、定着ニップにおいてトナーが溶融し、トナーが用紙Ｔに定着される。
【０１０２】
次いで、用紙Ｔは、第３搬送路Ｌ３を通して第１排紙部５０ａに搬送され、排出反転ローラー対５５により第１排紙部５０ａから内部側集積部５１０に排出される。
このようにして、給紙カセット５２に収容された用紙Ｔの片面印刷が完了する。
【０１０３】
手差しトレイ６５に載置された用紙Ｔに片面印刷を行う場合には、手差しトレイ６５に載置された用紙Ｔは、給紙コロ６６によって手差し搬送路Ｌａに送り出され、その後、第１合流部Ｐ１及び第１搬送路Ｌ１を介して、レジストローラー対８０に搬送される。それ以降の動作は、前述した、給紙カセット５２に収容された用紙Ｔの片面印刷の動作と同様であり、説明を省略する。
【０１０４】
次に、両面印刷を行う場合のコピー機１の動作について説明する。
片面印刷の場合には、前述した通り、片面印刷がされた用紙Ｔが、第１排紙部５０ａから内部側集積部５１０に排出されて印刷動作が完了する。
これに対し、両面印刷を行う場合には、片面印刷がされた用紙Ｔが、排出反転ローラー対５５により反転されて、戻り搬送路Ｌｂを介して、片面印刷時とは表裏反転して、レジストローラー対８０に再度搬送されることにより、用紙Ｔに両面印刷が施される。
【０１０５】
詳述すると、片面印刷がされた用紙Ｔが第３搬送路Ｌ３を通して第１排紙部５０ａに搬送されるまでは、前述した片面印刷の動作と同様である。
ここで、本実施形態においては、Ａ３サイズ縦の用紙Ｔについて、両面印刷を行う場合において、図５Ａから図５Ｆにより、押さえ部材２００の作用について説明しながら、コピー機１の動作について説明する。
【０１０６】
図５Ａは、両面印刷の動作を説明する図であって、用紙Ｔが排出方向Ｄ１に搬送され始めた状態を示す図である。図５Ｂは、両面印刷の動作を説明する図であって、用紙Ｔが押さえ部材２００の第１排紙部５０ａ側の面に突き当たった状態を示す図である。図５Ｃは、両面印刷の動作を説明する図であって、用紙Ｔが押さえ部材２００を回動させた状態を示す図である。図５Ｄは、両面印刷の動作を説明する図であって、用紙Ｔの搬送方向が戻し方向Ｄ２に切り換えられた状態を示す図である。図５Ｅは、両面印刷の動作を説明する図であって、用紙Ｔが押さえ部材２００の先端部２０２に当接した状態で戻し方向Ｄ２に搬送されている状態を示す図である。図５Ｆは、両面印刷の動作を説明する図であって、両面印刷が完了した用紙Ｔが積載面部５２０に積載される用紙Ｔの最上面の上に積載された状態を示す図である。
【０１０７】
本実施形態においては、Ａ３サイズ縦の用紙Ｔに両面印刷を行う前において、積載面部５２０には、印刷された複数のＡ３サイズ縦の用紙Ｔが既に積載されている。
まず、Ａ３サイズ縦の用紙Ｔの両面印刷時において、一方の面に印刷されたＡ３サイズ縦の用紙Ｔは、第１排紙部５０ａに搬送され、排出反転ローラー対５５により第１排紙部５０ａから内部側集積部５１０の積載空間部５４０に一部が繰り出される。
【０１０８】
この場合、図５Ａに示すように、第１排紙部５０ａから排出された用紙Ｔの下面側は、積載面部５２０に積載された用紙Ｔの最上面に接触している。そして、第１排紙部５０ａから排出された用紙Ｔは、積載面部５２０に積載された用紙Ｔの最上面に接触しながら排出方向Ｄ１に搬送される。
【０１０９】
ここで、積載面部５２０に積載された用紙Ｔの最上面には、押さえ部材２００の先端部２０２が当接している。そして、押さえ部材２００の自重による加重が用紙Ｔに作用している。そのため、積載面部５２０に積載される用紙Ｔのうちの最上部の用紙Ｔは、第１排紙部５０ａから排出される用紙Ｔとの摩擦抵抗によっては、動かされることが抑制される。
【０１１０】
その後、積載空間部５４０に繰り出されたＡ３サイズ縦の用紙Ｔは、排出反転ローラー対５５により更に排出方向Ｄ１に搬送されて、図５Ｂに示すように、押さえ部材２００の第１排紙部５０ａ側の面に突き当たる。
本実施形態においては、Ａ３サイズ縦の用紙Ｔが積載空間部５４０に一部繰り出されて反転される際に、Ａ３サイズ縦の用紙Ｔの先端は、押さえ部材２００まで達するようになっている。
【０１１１】
押さえ部材２００に突き当たった用紙Ｔは、排出反転ローラー対５５に搬送されて、図５Ｃに示すように、押さえ部材２００の第１排紙部５０ａ側の面を押して、押さえ部材２００の先端部２０２が排出方向Ｄ１と反対側（排出方向Ｄ１の下流側）に移動するように、押さえ部材２００を回動させる。
そして、更に排出方向Ｄ１に搬送される用紙Ｔは、押さえ部材２００の下に入り込んで、積載面部５２０に積載された最上部の用紙Ｔと押さえ部材２００との間を通る。排出方向Ｄ１に搬送される用紙Ｔは、その上面が押さえ部材２００の先端部２０２に当接した状態で、排出方向Ｄ１に搬送される。
【０１１２】
押さえ部材２００は、設置角度α及び重さが最適化されている。そのため、排出方向Ｄ１に搬送される用紙Ｔは、押さえ部材２００を回動させて、その上面が押さえ部材２００の先端部２０２に当接した状態で、搬送される。
【０１１３】
Ａ３サイズ縦の用紙Ｔは、積載面部５２０に積載された用紙Ｔと押さえ部材２００との間を通って排出方向Ｄ１に所定距離だけ進んだときに、図５Ｄに示すように、搬送方向が戻し方向Ｄ２に切り換えられる。
【０１１４】
これにより、排出反転ローラー対５５に保持されているＡ３サイズ縦の用紙Ｔは、図５Ｅに示すように、排出反転ローラー対５５により戻し方向Ｄ２に搬送される。ここで、戻し方向Ｄ２に搬送される用紙Ｔは、押さえ部材２００に当接した状態で、戻し方向Ｄ２に搬送されることが可能となっている。
【０１１５】
押さえ部材２００は、設置角度α及び重さが最適化されている。そのため、戻し方向Ｄ２に搬送される用紙Ｔは、押さえ部材２００に引っ掛かることが低減されている。
また、押さえ部材２００の先端部２０２における用紙Ｔの上面に当接する部分の長さは、用紙幅方向Ｗにおいて、基端部２０１側の長さよりも小さい。そのため、戻し方向Ｄ２に搬送される用紙Ｔは、先端部２０２との間の摩擦抵抗が小さく、戻し方向Ｄ２にスムーズにスライドされる。
【０１１６】
その後、戻し方向Ｄ２に搬送されたＡ３サイズ縦の用紙Ｔは、第３搬送路Ｌ３を逆方向（第１排紙部５０ａから第１分岐部Ｑ１に向かう方向）に搬送される。
【０１１７】
そして、一方の面に印刷されたＡ３サイズの用紙Ｔが、第３搬送路Ｌ３を逆方向に搬送されると、分岐部材５８により、用紙Ｔは、戻り搬送路Ｌｂへ分岐され、その後、第２合流部Ｐ２を介して、第１搬送路Ｌ１に合流する。ここで、用紙Ｔは、片面印刷時とは表裏反転している。
【０１１８】
更に、用紙Ｔは、レジストローラー対８０により前記補正又は前記調整が行われ、第１搬送路Ｌ１を介して、中間転写ベルト７と２次転写ローラー８との間に導入される。用紙Ｔは、戻り搬送路Ｌｂを経由することにより、未印刷面が中間転写ベルト７に対向するので、未印刷面にトナー画像が転写され、その結果、他方の面に印刷されることにより、両面印刷が施される。
【０１１９】
そして、両面印刷が施された用紙Ｔは、第１排紙部５０ａに搬送され、排出反転ローラー対５５により第１排紙部５０ａから内部側集積部５１０の積載空間部５４０に排出される。積載空間部５４０に排出された用紙Ｔは、排出方向Ｄ１に搬送される。
その後、両面印刷が施された用紙Ｔは、押さえ部材２００の第１排紙部５０ａ側の面に突き当たり（図５Ｂ参照）、押さえ部材２００の下に入り込んで（図５Ｃ参照）、積載面部５２０に積載された最上部の用紙Ｔと押さえ部材２００との間を通って、排出方向Ｄ１に搬送される。これらの動作は、前述した、一方の面に印刷された用紙Ｔの一部が積載空間部５４０に繰り出される場合における動作と同様であるため、説明を省略する。
【０１２０】
その後、両面印刷が施されたＡ３サイズ縦の用紙Ｔは、排出反転ローラー対５５により排出方向Ｄ１に搬送されることで、図５Ｆに示すように、積載面部５２０における排出方向Ｄ１の所定位置に積載される。
【０１２１】
ここで、押さえ部材２００は、設置角度α及び重さが最適化されている。そのため、排出反転ローラー対５５への用紙Ｔの後端残りの発生が抑制される。
【０１２２】
更に、両面印刷が施されて積載空間部５４０に排出される用紙Ｔは、積載面部５２０に積載された最上部の用紙Ｔが排出方向Ｄ１に移動されていない状態で、積載面部５２０に積載された最上部の用紙Ｔの上に積載される。そのため、両面印刷が施された用紙Ｔは、積載面部５２０に積載された最上部の用紙Ｔと、その下の用紙Ｔとの間に入り込むことが抑制される。従って、積載面部５２０に積載される用紙Ｔの順番が入れ替わることが抑制される。
【０１２３】
本実施形態によれば、例えば、次の効果が奏される。
本実施形態のコピー機１においては、第１排紙部５０ａから排出された用紙Ｔが積層して配置される内部側集積部５１０であって、垂直方向Ｚ下部に配置され用紙Ｔが積載される積載面部５２０と、積載面部５２０と垂直方向Ｚにおいて対向して配置される積載天面部５３０と、積載面部５２０と積載天面部５３０との間の積載空間部５４０と、を有する内部側集積部５１０と、第３搬送路Ｌ３を搬送された用紙Ｔを第１排紙部５０ａから積載空間部５４０へ一部繰り出した後に用紙Ｔの表裏を反転させる排出反転ローラー対５５と、積載天面部５３０に基端部２０１が回動可能に取り付けられ、先端部２０２が自由端として積載面部５２０に積載された用紙Ｔの上面に当接して配置される押さえ部材２００であって、積載された用紙Ｔの最上面の上を移動する用紙Ｔの移動を、先端部２０２が第１排紙部５０ａと反対側（排出方向Ｄ１の下流側）に移動するように回動して許可すると共に、第１排紙部５０ａ側に戻るように移動する最上面の上に配置された用紙Ｔにおける移動を、先端部２０２が最上面の上に配置された用紙Ｔの上面に当接した状態で許可する押さえ部材２００と、を備える。
【０１２４】
そのため、押さえ部材２００の先端部２０２は、その自重により積載面部５２０に積載された用紙Ｔの上面に当接する。これにより、両面印刷時における一方の面に印刷された用紙Ｔの一部が積載空間部５４０に繰り出される動作において、積載面部５２０に積載された最上部の用紙Ｔの排出方向Ｄ１への移動が抑制される。従って、両面印刷後に排出される用紙Ｔは、積載面部５２０に積載された最上部の用紙Ｔの下に入り込むことが抑制される。その結果、内部側集積部５１０に積載される用紙Ｔの順番の入れ替わりを抑制することができる。
【０１２５】
また、押さえ部材２００は、その回動により、用紙Ｔの排出方向Ｄ１への移動を許可する。押さえ部材２００は、その回動により、先端部２０２が積載面部５２０に積載される用紙Ｔの上面に当接している状態で、先端部２０２に当接した用紙Ｔの戻し方向Ｄ２への移動を許可する。これにより、用紙Ｔの排出方向Ｄ１への移動を行うことができると共に、用紙Ｔの表裏を反転させる際における用紙Ｔの戻し方向Ｄ２への移動を行うことができる。
従って、押さえ部材２００は、両面印刷の動作を妨げることがない状態で、積載面部５２０に積載された用紙Ｔの最上面に当接する。その結果、押さえ部材２００は、両面印刷の動作を妨げることなく、積載面部５２０に積載された最上部の用紙Ｔの排出方向Ｄ１への移動が抑制することができる。
【０１２６】
また、本実施形態のコピー機１においては、押さえ部材２００は、第１排紙部５０ａから排出された用紙Ｔが、内部側集積部５１０に積載された用紙Ｔを第１排紙部５０ａと反対側（排出方向Ｄ１の下流側）に移動させないように、内部側集積部５１０に積載された用紙Ｔの最上面に当接する。そのため、押さえ部材２００は、積載面部５２０に積載された用紙Ｔの排出方向Ｄ１への移動を一層抑制することができる。
【０１２７】
また、本実施形態のコピー機１においては、押さえ部材２００は、平面状の板状部材であり、基端部２０１と先端部２０２とをつなぐ平面は、積載面部５２０に積載された用紙Ｔの上面に対して、先端部２０２が基端部２０１よりも第１排紙部５０ａと反対側（排出方向Ｄ１の下流側）に位置するように傾いている。
そのため、押さえ部材２００を、先端部２０２が第１排紙部５０ａと反対側（排出方向Ｄ１の下流側）に移動するように回動させることができる。
また、積載面部５２０に積載された用紙Ｔにおける第１排紙部５０ａ側の上面に対する、基端部２０１と先端部２０２とをつなぐ平面の設置角度αを最適化することで、積載面部５２０に積載された最上部の用紙Ｔの排出方向Ｄ１への移動を抑制することができると共に、スイッチバック時における戻し方向Ｄ２に搬送される用紙Ｔの引っ掛かりを抑制することができ、更に、排出反転ローラー対５５への用紙Ｔの後端残りの発生を抑制することができる。
【０１２８】
また、本実施形態のコピー機１においては、積載面部５２０に積載された用紙Ｔにおける第１排紙部５０ａ側の上面に対する、基端部２０１と先端部２０２とをつなぐ平面の角度は、５０°〜６０°である。
そのため、より好適に、積載面部５２０に積載された最上部の用紙Ｔの排出方向Ｄ１への移動、スイッチバック時における戻し方向Ｄ２に搬送される用紙Ｔの引っ掛かり、排出反転ローラー対５５への用紙Ｔの後端残りの発生を抑制することができる。
【０１２９】
また、本実施形態のコピー機１においては、押さえ部材２００は、基端部２０１を中心に回動することにより積載天面部５３０に沿うように配置可能であると共に、積載天面部５３０に沿うように配置された状態で積載天面部５３０に取り付け可能である。そのため、押さえ部材２００を積載天面部５３０側に容易に退避させることができる。これにより、押さえ部材２００を退避させることで、中継ユニット５００の着脱を容易に行うことができる。従って、押さえ部材２００の破損を防止して、作業効率を向上させることができる。
【０１３０】
また、本実施形態のコピー機１においては、ケース部材ＢＤの上部側に配置される画像読取部３０１を更に備え、積載天面部５３０は、画像読取部３０１の下部により構成される。そのため、押さえ部材２００を画像読取部３０１の下部に取り付けることができる。これにより、押さえ部材２００を積載空間部５４０に容易に配置させて、押さえ部材２００の先端部２０２を積載面部５２０に積載された用紙Ｔの上面に容易に当接させることができる。従って、押さえ部材２００を配置する構成を簡易な構成により実現することができる。
【０１３１】
また、積載空間部５４０は、上下方向において限られた空間である。そのため、積載面部５２０は、平坦に近い状態に形成される場合が多い。本実施形態においても、積載面部５２０は、水平面状に形成される。そのため、本実施形態における積載面部５２０は、積載面部５２０が傾斜面により構成されて重力により端部が揃った状態で積載される場合に比べて、用紙Ｔの端部が揃わずに積載される可能性がある。このような場合であっても、本発明においては、押さえ部材２００を有するため、積載面部５２０に積載された用紙Ｔの排出方向Ｄ１への移動が抑制される。これにより、両面印刷時において、内部側集積部５１０に積載される用紙Ｔの順番の入れ替わりを抑制することができる。
【０１３２】
また、本実施形態のコピー機１においては、先端部２０２における用紙Ｔの上面に当接する部分の長さは、用紙幅方向Ｗにおいて、基端部２０１側の長さよりも小さい。そのため、先端部２０２における用紙Ｔに当接する部分において、用紙Ｔの接触する面積が小さくなる。これにより、摩擦抵抗が小さくなり、押させ部材２００をスムーズに移動させることができる。従って、戻し方向Ｄ２に搬送される用紙Ｔをスムーズに搬送することができる。
【０１３３】
次に、本発明の画像形成装置１の他の実施形態としての第２実施形態について、図面を参照しながら説明する。なお、第２実施形態の説明にあたって、第１実施形態と同一の構成要件については同一の符号を付し、その説明を省略又は簡略化する。
【０１３４】
図６は、本発明の第２実施形態における内部側集積部５１０Ａ及び押さえ部材２００の周辺の構成を示す側面図である。
図６に示すように、第２実施形態の画像形成装置１は、第１実施形態と比べて、主として、内部側集積部５１０Ａの積載面部５２０Ａの形状が異なる。
【０１３５】
第２実施形態における積載面部５２０Ａは、平面部５２１と、凸部５２２とを有して構成される。
平面部５２１は、水平面状に形成される。複数の凸部５２２は、平面部５２１から上方側に突出するように形成される。複数の凸部５２２は、用紙幅方向Ｗに視た場合に、同一形状に形成され、所定間隔ごとに離間して用紙幅方向Ｗに並んで配置されている。
【０１３６】
複数の凸部５２２は、排出方向Ｄ１の上流側に形成される上流側傾斜面５２２Ａと、排出方向Ｄ１の下流側に形成される下流側傾斜面５２２Ｂとを有する。上流側傾斜面５２２Ａは、排出方向Ｄ１の上流側に向かうにしたがって上方に向かうように傾斜する傾斜面である。
【０１３７】
凸部５２２は、積載面部５２０Ａにおける押さえ部材２００が積載面部５２０Ａに積載される用紙Ｔに当接する位置よりも排出方向Ｄ１の上流側に配置される。具体的には、凸部５２２は、凸部５２２の上流側傾斜面５２２Ａに沿うようにして斜め上方に向けて搬送された用紙Ｔが、腰のある状態で、押さえ部材２００の第１排紙部５０ａ側の面における先端部２０２よりも上方側において突き当たることが可能な位置に配置される。
【０１３８】
積載面部５２０Ａの凸部５５２を搬送される用紙Ｔは、凸部５５２の上流側傾斜面５２２Ａに沿うように、斜め上方に向けて搬送される。そして、斜め上方に向けて搬送された用紙Ｔは、腰のある状態で、押さえ部材２００の第１排紙部５０ａ側の面における先端部２０２よりも上方側において、その先端が押さえ部材２００に突き当たる。
【０１３９】
ここで、第２実施形態において、Ａ３サイズ縦の用紙Ｔに両面印刷を行う場合のコピー機１の動作について説明する。第２実施形態の両面印刷を行う場合のコピー機１の動作の説明においては、第１実施形態の動作と異なる点について説明する。
第２実施形態においては、図７Ａから図７Ｅにより、一方の面が印刷された用紙Ｔの一部が積載空間部５４０に繰り出される以降の動作について説明する。
【０１４０】
図７Ａは、第２実施形態における両面印刷の動作を説明する図であって、用紙Ｔが凸部５２２に沿うように搬送されている状態を示す図である。図７Ｂは、第２実施形態における両面印刷の動作を説明する図であって、用紙Ｔが腰のある状態で押さえ部材２００に当接した状態を示す図である。図７Ｃは、第２実施形態における両面印刷の動作を説明する図であって、用紙Ｔの先端が押さえ部材２００の先端部２０２側に移動された状態を示す図である。図７Ｄは、第２実施形態における両面印刷の動作を説明する図であって、用紙Ｔが押さえ部材２００を回動させた状態を示す図である。図７Ｅは、第２実施形態における両面印刷の動作を説明する図であって、用紙Ｔが押さえ部材２００の先端部２０２に当接した状態で排出方向Ｄ１に搬送されている状態を示す図である。
【０１４１】
第２実施形態において、Ａ３サイズ縦の用紙Ｔの両面印刷時において、一方の面に印刷されたＡ３サイズ縦の用紙Ｔは、第１排紙部５０ａに搬送され、排出反転ローラー対５５により第１排紙部５０ａから内部側集積部５１０Ａの積載空間部５４０に一部が繰り出される。
【０１４２】
そして、第１排紙部５０ａから排出された用紙Ｔの下面側は、積載面部５２０Ａに積載された用紙Ｔの最上面に接触している。そして、第１排紙部５０ａから排出された用紙Ｔは、積載面部５２０Ａに積載された用紙Ｔの最上面に接触しながら排出方向Ｄ１に搬送される。
【０１４３】
その後、積載空間部５４０に繰り出されたＡ３サイズ縦の用紙Ｔは、排出反転ローラー対５５により更に排出方向Ｄ１に搬送されて、図７Ａに示すように、凸部５５２の上流側傾斜面５２２Ａに沿うように、斜め上方に向けて搬送される。
そして、斜め上方に向けて搬送された用紙Ｔは、図７Ｂに示すように、腰のある状態で、押さえ部材２００の第１排紙部５０ａ側の面における先端部２０２よりも上方側の部分において、その先端が押さえ部材２００に突き当たる。
【０１４４】
押さえ部材２００に突き当たった用紙Ｔの先端は、用紙Ｔが排出方向Ｄ１に移動されることで、図７Ｃに示すように、押さえ部材２００の第１排紙部５０ａ側の面に沿って、押さえ部材２００の先端部２０２よりも上方側から先端部２０２側に移動する。搬送される用紙Ｔの先端側は、上方側が凸となるように湾曲している。
【０１４５】
搬送される用紙Ｔは、更に排出反転ローラー対５５に搬送されて、図７Ｄに示すように、押さえ部材２００の先端部２０２における第１排紙部５０ａ側の面を押して、押さえ部材２００の先端部２０２が排出方向Ｄ１と反対側（排出方向Ｄ１の下流側）に移動するように、押さえ部材２００を回動させる。
【０１４６】
ここで、凸部５２２により斜め上方に向けて搬送された用紙Ｔの先端は、腰のある状態で、その先端が押さえ部材２００の先端部２０２よりも上方側の部分に突き当たった後に、押さえ部材２００の先端部２０２よりも上方側から先端部２０２側に移動する。そのため、先端部２０２側に移動した用紙Ｔの先端は、押さえ部材２００の先端部２０２側を浮かせるようにして、押さえ部材２００を回動させることができる。これにより、押さえ部材２００の先端部２０２と積載面部５２０Ａに積載された用紙Ｔの最上面との間に直接入り込むよりも、第１排紙部５０ａから排出された用紙Ｔと積載面部５２０Ａに積載された用紙Ｔの最上面との間の摩擦抵抗が低減される。
【０１４７】
また、凸部５２２により斜め上方に向けて搬送された用紙Ｔは、凸部５２２の頂部近傍から押さえ部材２００までの間において、積載面部５２０Ａに積載された用紙Ｔの最上面に接触していない。そのため、凸部５２２がない場合に比べて、第１排紙部５０ａから排出された用紙Ｔと積載面部５２０Ａに積載された用紙Ｔの最上面との間の摩擦抵抗が低減される。
【０１４８】
これにより、積載面部５２０Ａに積載された最上部の用紙Ｔは、排出方向Ｄ１へ移動されることが低減される。本実施形態においては、第１排紙部５０ａから排出された用紙Ｔと積載面部５２０Ａに積載された用紙Ｔの最上面との間の摩擦抵抗が低減されることから、押さえ部材２００を軽量化している。押さえ部材２００による用紙Ｔへの加重が小さくても、積載面部５２０Ａに積載された最上部の用紙Ｔは、排出方向Ｄ１へ移動されることが抑制されるためである。更に、押さえ部材２００による用紙Ｔへの加重が小さいと、スイッチバック時における用紙Ｔが戻し方向Ｄ２に搬送される際の引っ掛かりが発生し難い傾向があり、排出反転ローラー対５５への用紙Ｔの後端残りを発生させ難い傾向があるためである。
【０１４９】
第２実施形態における押さえ部材２００の重さは、例えば、設置角度αが６５°の場合には、用紙Ｔを排出方向Ｄ１に移動させない条件としては例えば５．５ｇ以上が好ましく、用紙Ｔの後端残りを発生させない条件としては例えば７ｇ以下であることが好ましい。例えば、本実施形態においては、押さえ部材２００の重さを６ｇに設定している。
【０１５０】
その後、更に排出方向Ｄ１に搬送される用紙Ｔは、押さえ部材２００の下に入り込んで、積載面部５２０Ａに積載された最上部の用紙Ｔと押さえ部材２００との間を通る。排出方向Ｄ１に搬送される用紙Ｔは、図７Ｅに示すように、その上面が押さえ部材２００の先端部２０２に当接した状態で、排出方向Ｄ１に搬送される。
【０１５１】
その後、第１実施形態のコピー機１の動作と同様に、Ａ３サイズ縦の用紙Ｔは、搬送方向が戻し方向Ｄ２に切り換えられる。
その後の動作は、前述の第１実施形態のコピー機１の動作と同様であるため、説明を省略する。
【０１５２】
第２実施形態のコピー機１によれば、上述した第１実施形態と同様の効果を奏する他、例えば、以下のような効果を奏する。
本実施形態のコピー機１においては、積載面部５２０Ａは、平面状に形成される平面部５２１と、平面部５２１から上方側に突出するように形成される凸部５２２と、を有して構成されており、押さえ部材２００は、凸部５２２よりも用紙Ｔが排出方向Ｄ１の下流側において、積載面部５２０Ａに積載された用紙Ｔの上面に当接して配置される。そのため、凸部５２２により斜め上方に向けて搬送された用紙Ｔは、腰のある状態で、押さえ部材２００の第１排紙部５０ａ側の面における先端部２０２よりも上方側において、その先端が押さえ部材２００に突き当たる。
【０１５３】
そのため、用紙Ｔの先端は、押さえ部材２００の先端部２０２よりも上方側から先端部２０２側に移動する。これにより、第１排紙部５０ａから排出された用紙Ｔは、押さえ部材２００の先端部２０２と積載面部５２０Ａに積載された用紙Ｔの最上面との間に直接入り込むよりも、積載面部５２０Ａに積載された用紙Ｔの最上面との間の摩擦抵抗が低減される。更に、凸部５２２がない場合に比べて、第１排紙部５０ａから排出された用紙Ｔと積載面部５２０Ａに積載された用紙Ｔの最上面との間の摩擦抵抗が低減される。従って、積載面部５２０Ａに積載された最上部の用紙Ｔが排出方向Ｄ１へ移動されることが低減されるため、押さえ部材２００を軽量化することができる。
押さえ部材２００を軽量化することにより、スイッチバック時における用紙Ｔが戻し方向Ｄ２に搬送される際の引っ掛かりを抑制することができる。また、排出反転ローラー対５５への用紙Ｔの後端残りの発生を抑制することができる。
【０１５４】
以上、好適な実施形態について説明したが、本発明は前述した実施形態に限定されることなく種々の形態で実施することができる。
例えば、前述の実施形態において、押さえ部材２００を平面状に形成したが、これに制限されない。押さえ部材２００を曲面状に形成してもよい。
【０１５５】
なお、本発明の画像形成装置の種類は、特に限定がなく、コピー機、プリンター、ファクシミリ、又はこれらの複合機等であってもよい。
また、シート材は、用紙に制限されず、例えば、フィルムシートであってもよい。
【符号の説明】
【０１５６】
１……コピー機（画像形成装置）、５０ａ……第１排紙部（排出部）、５５……排出反転ローラー対（反転部）、２００……押さえ部材、２０１……基端部（一端部）、２０２……先端部（他端部）、３０１……画像読取部、５１０……内部側集積部（積載部）、５２０……積載面部、５３０……積載天面部（上面部）、５４０……積載空間部、ＢＤ……ケース部材（筐体）、Ｄ１……排出方向、Ｄ２……戻り方向、ＧＫ……画像形成部、Ｌ３……第３搬送路（排出用搬送路）、Ｌｂ……戻り搬送路（反転用搬送路）、Ｔ……用紙（シート材）
【図１】
0005526068.tif 000002
【図２】
0005526068.tif 000003
【図３】
0005526068.tif 000004
【図４】
0005526068.tif 000005
【図５Ａ】
0005526068.tif 000006
【図５Ｂ】
0005526068.tif 000007
【図５Ｃ】
0005526068.tif 000008
【図５Ｄ】
0005526068.tif 000009
【図５Ｅ】
0005526068.tif 000010
【図５Ｆ】
0005526068.tif 000011
【図６】
0005526068.tif 000012
【図７Ａ】
0005526068.tif 000013
【図７Ｂ】
0005526068.tif 000014
【図７Ｃ】
0005526068.tif 000015
【図７Ｄ】
0005526068.tif 000016
【図７Ｅ】
0005526068.tif 000017